(57)【要約】折り畳み式ハンガーに関し、折り畳み式ハンガーは、胴体部、前記胴体部の一側面から突出した１対の突起部、前記胴体部の前記一側面から突出し、前記突起部から離隔したストッパー部、及び前記胴体部の側面から突出したフック部を有するパンガー胴体と、前記突起部にそれぞれ挿入される貫通孔が形成され、前記ハンガー胴体に対して回転され、前記ストッパー部に係止される１対のハンガー翼と、前記ハンガー翼の離脱を防ぐために前記胴体部に結合されたカバーと、を備える。【選択図】  図１
2020517314.tif 000002
【特許請求の範囲】
【請求項１】
胴体部、前記胴体部の一側面から突出した１対の突起部、前記胴体部の前記一側面から突出し、前記突起部から離隔したストッパー部、及び前記胴体部の側面から突出したフック部を有するパンガー胴体と、
前記突起部にそれぞれ挿入される貫通孔が形成され、前記ハンガー胴体に対して回転され、前記ストッパー部に係止される１対のハンガー翼と、
前記ハンガー翼の離脱を防ぐために前記胴体部に結合されたカバーと、を備える折り畳み式ハンガー。
【請求項２】
前記フック部は、前記胴体部の中央部を基準として１対であり、前記胴体部に回転対称形態で配置された請求項１に記載の折り畳み式ハンガー。
【請求項３】
前記ストッパー部は、扇状に形成され、前記ストッパー部は、前記突起部の間に延長された延長部を有し、
前記延長部と対応する前記ハンガー翼には、前記ストッパー部と干渉しないように逃げ部が形成された請求項１に記載の折り畳み式ハンガー。
【請求項４】
前記ストッパー部のうち、前記ハンガー翼と向かい合う面には、凹部と、前記凹部に連結された平坦部とが形成され、前記ハンガー翼には、前記凹部に対応する曲面と、前記平坦部に対応する接触面とが形成された請求項３に記載の折り畳み式ハンガー。
【請求項５】
前記ハンガー翼には、前記ハンガー翼の長手方向に沿って多数個の貫通孔が形成された請求項１に記載の折り畳み式ハンガー。
【請求項６】
前記ハンガー翼には、前記ハンガー翼の長手方向に沿って長い長孔状の開口が形成された請求項１に記載の折り畳み式ハンガー。
【請求項７】
前記ハンガー翼のうち、前記衣服が掛けられる部分には、前記ハンガー翼の幅よりも広い幅で形成された衣服支持部が形成され、
前記衣服支持部は、前記ハンガー翼の端部から折り曲げて形成された請求項１に記載の折り畳み式ハンガー。
【請求項８】
前記突起部は、円筒状に形成され、前記カバーには、前記突起部に挿入して挟持される結合部が形成された請求項１に記載の折り畳み式ハンガー。
【請求項９】
前記ストッパー部は、前記突起部から離隔した位置に、１対がリブ状に配置され、前記ストッパー部は、前記ハンガー翼を広げたとき、前記ハンガー翼が鈍角の角度で形成される位置に形成された請求項１に記載の折り畳み式ハンガー。
【発明の詳細な説明】
【技術分野】
【０００１】
本発明は、折り畳み式ハンガーに関する。
【背景技術】
【０００２】
一般のハンガーは、ユーザが上半身に着る上着を掛けるために使われるものであって、上部にフックが設けられた三角形に形成され、ハンガーは、木製、金属製、合成プラスチック製などの様々な材質から作られる。
【０００３】
この種のハンガーは、衣服の重量により容易に変形することを防ぐために、三角形に固定して作製され、小さな子供服から大きな大人服まで全て掛けられるように大きく作製される。
【０００４】
しかし、ハンガーが変形しないように固定された形態で大きく製作すれば、ハンガーを保管するのに大きな空間が必要となり、携帯し難いという問題点があった。
【０００５】
また、ハンガーは、ユーザの便宜により、通常、上着の首まわり部分から衣服の内部に入るので、衣服の首まわり部分が狭くて長いと、ハンガーに衣服を掛けることが不便であるだけでなく、ハンガーへの繰り返し使用のため、服の首まわり部分が伸びて服の変形を引き起こすという問題点があった。
【発明の概要】
【発明が解決しようとする課題】
【０００６】
本発明は、衣服と接触するハンガーの翼部を、ユーザが、直接、折り畳んだり広げたりするようにし、保管及び使用を便利にした折り畳み式ハンガーを提供する。
【課題を解決するための手段】
【０００７】
本発明の一実施形態に係る折り畳み式ハンガーは、胴体部、前記胴体部の一側面から突出した１対の突起部、前記胴体部の前記一側面から突出し、前記突起部から離隔したストッパー部、及び前記胴体部の側面から突出したフック部を有するパンガー胴体と、前記突起部にそれぞれ挿入される貫通孔が形成され、前記ハンガー胴体に対して回転され、前記ストッパー部に係止される１対のハンガー翼と、前記ハンガー翼の離脱を防ぐために前記胴体部に結合されたカバーと、を備える。
【０００８】
また、折り畳み式ハンガーの前記フック部は、前記胴体部の中央部を基準として１対であり、前記胴体部に回転対称形態で配置される。
【０００９】
また、折り畳み式ハンガーの前記ストッパー部は、扇状に形成され、前記ストッパー部は、前記突起部の間に延長された延長部を有し、前記延長部と対応する前記ハンガー翼には、前記ストッパー部と干渉しないように逃げ部が形成される。
【００１０】
また、折り畳み式ハンガーの前記ストッパー部のうち、前記ハンガー翼と向かい合う面には、凹部と、前記凹部に連結された平坦部とが形成され、前記ハンガー翼には、前記凹部に対応する曲面と、前記平坦部に対応する接触面とが形成される。
【００１１】
また、折り畳み式ハンガーの前記ハンガー翼には、前記ハンガー翼の長手方向に沿って多数個の貫通孔が形成される。
【００１２】
また、折り畳み式ハンガーの前記ハンガー翼には、前記ハンガー翼の長手方向に沿って長い長孔状の開口が形成される。
【００１３】
また、折り畳み式ハンガーの前記ハンガー翼のうち、前記衣服が掛けられる部分には、前記ハンガー翼の幅よりも広い幅で形成された衣服支持部が形成され、前記衣服支持部は、前記ハンガー翼の端部から折り曲げて形成される。
【００１４】
また、折り畳み式ハンガーの前記突起部は、円筒状に形成され、前記カバーには、前記突起部に挿入して挟持される結合部が形成される。
【００１５】
また、折り畳み式ハンガーの前記ストッパー部は、前記突起部から離隔した位置に、１対がリブ状に配置され、前記ストッパー部は、前記ハンガー翼を広げたとき、前記ハンガー翼が鈍角の角度で形成される位置に形成される。
【発明の効果】
【００１６】
本発明に係る折り畳み式ハンガーのハンガー翼は、回転または折畳が可能であるので、ハンガーを保管し、または衣服の内部にハンガーを入れるとき、ハンガー翼は、フック部と垂直になるように折り畳まれ、衣服を掛けるときは、ハンガー翼が三角形になるように広げられ、ハンガーを収納するのに小さな空間のみで済み、携帯し易く、首まわり部分が狭い衣服にも、首まわりが伸びることなく、入り易く、衣服が変形することを防ぐことができる。
【図面の簡単な説明】
【００１７】
【図１】本発明の第１実施形態に係る折り畳み式ハンガーを示す斜視図である。
【図２】図１の分解斜視図である。
【図３】図２に示したカバーの後面を示す斜視図である。
【図４】図１に示した折り畳み式ハンガーのハンガー翼を折り畳んだ状態を示す図である。
【図５】図１に示した折り畳み式ハンガーのハンガー翼を完全に広げた状態を示す図である。
【図６】本発明の第２実施形態に係る折り畳み式ハンガーを示す斜視図である。
【図７】本発明の第３実施形態に係る折り畳み式ハンガーを示す斜視図である。
【図８】本発明の第４実施形態に係る折り畳み式ハンガーを示す斜視図である。
【図９】図８に示した折り畳み式ハンガーのハンガー翼を折り畳んだ状態を示す図である。
【図１０】本発明の第５実施形態に係る折り畳み式ハンガーを示す平面図である。
【発明を実施するための形態】
【００１８】
以下に説明される本発明は、多様な変換を加えることができ、様々な実施形態を有するが、特定の実施形態を図面に例示し、詳細な説明において詳細に説明する。
【００１９】
しかし、それらは、本発明を特定の実施形態に限定するものではなく、本発明の思想及び技術範囲に含まれる全ての変換、均等物乃至代替物を含むものであると理解されなければならない。本発明を説明するにあたり、関連した公知技術についての具体的な説明が本発明の要旨を不明確にすると判断される場合、その詳細な説明を省略する。
【００２０】
本明細書で用いられた用語は、ただ特定の実施形態についての説明に用いられたものであり、本発明を限定する意図ではない。単数の表現は、文脈上明白に異なって意味しない限り、複数の表現を含む。本出願において、「含む」、「備える」または「有する」という用語は、明細書上に記載された特徴、数字、段階、動作、構成要素、部品、またはそれらの組み合わせが存在するということを指定するものであって、一つ、またはそれ以上の他の特徴、数字、段階、動作、構成要素、部品、またはそれらの組み合わせの存在または付加の可能性をあらかじめ排除するものではないと理解されなければならない。本実施形態は、多様な変換を加えることができ、さまざまな実施例を有することができるが、特定実施形態を図面に例示し、詳細な説明で詳細に説明する。しかし、それらは、特定の実施形態について範囲を限定するものではなく、開示された思想及び技術範囲に含まれる全ての変換、均等物ないし代替物を含むものであると理解されなければならない。実施形態についての説明において、関連公知技術についての具体的な説明が要旨を不明確にすると判断される場合、その詳細な説明を省略する。
【００２１】
また、第１、第２のような用語は、多様な構成要素を分けて説明するために用いられるが、上記構成要素は、上記用語により限定されてはならない。上記用語は、一つの構成要素を他の構成要素から区別する目的でのみ用いられる。
【００２２】
図１は、本発明の第１実施形態に係る折り畳み式ハンガーを示す斜視図であ。図２は、図１の分解斜視図である。図３は、図２に示したカバーの後面を示す斜視図である。図４は、図１に示した折り畳み式ハンガーのハンガー翼を折り畳んだ状態を示す図である。図５は、図１に示した折り畳み式ハンガーのハンガー翼を完全に広げた状態を示す図である。
【００２３】
図１乃至図５を参照すると、折り畳み式ハンガー５００は、ハンガー胴体１００、１対のハンガー翼２００、及びカバー３００を備える。
【００２４】
図１及び図２を参照して、ハンガー胴体１００は、折り畳み式ハンガー５００の頭部であり、ハンガー翼２００を支持し、折り畳み式ハンガー５００が指定された場所に吊り下げられるようにする。
【００２５】
ハンガー胴体１００は、胴体部１１０、突起部１２０、フック部１３０、及びストッパー部１４０を有する。
【００２６】
胴体部１１０は、ハンガー翼２００の容易な回転のために円筒状に形成され、各ハンガー翼２００の位置を指定し、ハンガー翼２００を回転可能に固定する。
【００２７】
図２を参照すると、突起部１２０は、ハンガー翼２００を回転可能に胴体部１１０に固定するものであって、突起部１２０は、胴体部１１０の上部面から１対が突出して形成される。それぞれの突起部１２０は、胴体部１１０の上部面の中央に互いに離隔して配置される。
【００２８】
一実施形態として、突起部１２０は、円筒状に形成され、各突起部１２０の上部面の中央には、カバー固定溝１２２が形成される。
【００２９】
さらに、図１及び図２を参照すると、フック部１３０は、指定された場所、例えば、ハンガーパイプ、物干し台、及びハンガーフックなどに吊り下げられる部分であって、フック部１３０は、胴体部１１０の側面から突出され、胴体部１１０と向かい合う一部分が開口したリング状を有する。
【００３０】
フック部１３０は、胴体部１１０の中央部を基準として互いに向かい合うように、１対が胴体部１１０に回転対称形態で配置される。好ましくは、１対のフック部１３０は、突起部１２０と垂直交差するように、胴体部１１０の側面にそれぞれ配置される。
【００３１】
図２及び図５を参照すると、ストッパー部１４０は、広げられるハンガー翼２００の回転を停止させ、ハンガー翼２００を支持するものであって、ストッパー部１４０は、延長部１４２、凹部１４４、及び平坦部１４６を有する。
【００３２】
ストッパー部１４０は、突起部１２０から離隔して胴体部１１０の上部面から突出する。ここで、突出したストッパー部１４０により、突起部１２０と向かい合うストッパー部１４０の側面には、段部が形成される。
【００３３】
一例として、ストッパー部１４０は、突起部１２０から離隔した部分から、フック部１３０のいずれか一方のフック部１３２が配置された胴体部１１０の周縁部まで形成され、扇状を有する。
【００３４】
延長部１４２は、段付きのストッパー部１４０の側面中央から突起部１２０の間に延長形成されたものであって、延長部１４２は、各突起部１２０から同一の間隔で離隔している。延長部１４２は、図４に示すように、ハンガー翼２００が折り畳まれたとき、それぞれのハンガー翼２００が胴体部１１０の指定された位置から外れて互いに交差することを防ぐ。
【００３５】
凹部１４４及び平坦部１４６は、段付きのストッパー部１４０の側面に形成される。凹部１４４は、延長部１４２の両側に延長部１４２と連結して形成され、平坦部１４６は、凹部１４４と連結して胴体部１１０の周縁部まで形成される。一例として、凹部１４４は、ハンガー翼２００の回転を妨げないように曲線状に形成され、平坦部１４６は、ハンガー翼２００が広げられたとき、ハンガー翼２００が三角形をなすように斜線状に形成される。
【００３６】
さらに、図１及び図２を参照すると、ハンガー翼２００は、衣服の肩部が接触して衣服が掛けられる部分であって、ハンガー翼２００は、ハンガー胴体１００に、互いに向かい合って１対が配置され、ハンガー胴体１００に回転可能に固定され、ストッパー部１４０に係止されてハンガー翼２００の回転が停止される。
【００３７】
一実施形態として、ハンガー翼２００は、一定の長さと幅を有する一文字状の板であって、ハンガー胴体１００に重なり合うハンガー翼２００の一側端部には、貫通孔２１０、逃げ部２２０、曲面２３０、接触面２４０が形成される。
【００３８】
貫通孔２１０は、突起部１２０と対応して形成され、突起部１２０に挿入されるが、貫通孔２１０は、突起部１２０を回転軸として、各ハンガー翼２００が回転するように、突起部１２０の直径よりもさらに大きな直径を有する。
【００３９】
逃げ部２２０は、図４に示すように、１対のハンガー翼２００を折り畳んだとき、延長部１４２と向かい合うハンガー翼２００の一側面に、曲面２３０と連結して形成され、ハンガー翼２００がストッパー部１４０と干渉しないようにする。逃げ部２２０は、ハンガー翼２００の一側面を貫通孔２１０側に切断して形成したものであって、逃げ部２２０が形成された部分のハンガー翼２００の幅は、逃げ部２２０が形成されていないハンガー翼２００の幅よりも狭い。
【００４０】
曲面２３０は、ハンガー翼２００の一側端部に、凹部１４４と同一の曲率を有するラウンド状に形成されたものであって、曲面２３０は、凹部１４４に挿入される。
【００４１】
接触面２４０は、逃げ部２２０が形成されたハンガー翼２００の一側面と対向する他側面に形成されるものであって、図５に示すように、ハンガー翼２００が広げられたとき、平坦部１４６に接触して、ハンガー翼２００の回転を停止させる。
【００４２】
図１及び図３を参照すると、カバー３００は、ハンガー翼２００がハンガー胴体１００から離脱することを防ぐためのものであって、カバー３００は、胴体部１１０の上部面に結合される。
【００４３】
一実施形態として、カバー３００は、胴体部１１０の上部面を完全に覆うように、胴体部１１０と同一の直系を有する円形の板状を有する。
【００４４】
図３を参照すると、胴体部１１０と向かい合うカバー３００の下部面の中央部には、カバー固定溝１２２に挿入して挟持される結合部３１０が、カバー固定溝１２２と対応して形成される。
【００４５】
図４及び図５を参照して、折り畳み式ハンガーの使用方法を簡略に説明すると、衣服の首まわり部分がハンガーにより伸びないように、折り畳み式ハンガー５００のハンガー翼２００を、図４に示すように、折り畳んだ状態で衣服の首まわり部分に入れる。このとき、ストッパー部１４０と対応する位置に形成れさたフック部１３２が衣服の外部に露出する。
【００４６】
次いで、それぞれのハンガー翼２００をストッパー部１４０が形成された方向に広げて、ハンガー翼２００が衣服を掛け易い三角形を有するようにする。
【００４７】
以降、ストッパー部１４０と対向する位置に形成されたフック部１３０が衣服の外部に露出し、ストッパー部１４０と対応する位置に形成されたフック部１３２が衣服の内部に位置するように折り畳み式ハンガー５００を逆さまにする。すると、図５に示すように、ストッパー部１４０により、各ハンガー翼２００が回転を止め、ハンガー翼２００が広げられた状態で固定されて衣服を支持する。
【００４８】
図６は、本発明の第２実施形態に係る折り畳み式ハンガーを示す斜視図である。本発明の第２実施形態に係る折り畳み式ハンガーは、ハンガー翼を除いては、図１乃至図５を参照して説明した折り畳み式ハンガーと同一であるので、同一の部分については詳細な説明を省略し、同一の部分には同一の図面符号を付与する。
【００４９】
図６を参照すると、本発明の第２実施形態に係る折り畳み式ハンガーは、ハンガー胴体１００、１対のハンガー翼２００、及びカバー３００を有する。
【００５０】
ハンガー翼２００は、衣服の肩部が接触して衣服が掛けられる部分であって、ハンガー翼２００は、ハンガー胴体１００に、互いに向かい合って１対が配置され、ハンガー胴体１００に回転可能に固定され、ストッパー部１４０に係止されてハンガー翼２００の回転が停止される。
【００５１】
一例として、ハンガー翼２００は、一定の長さと幅を有する一文字状の板に形成され、ハンガー翼２００には、ハンガー翼２００の長手方向に沿って多数個の貫通孔２５０が形成される。ハンガー翼２００の長手方向に沿って形成される貫通孔２５０に、他のハンガーのフック部が吊り下げられて、第２実施形態に係る折り畳み式ハンガー５００がハンガーパイプの役割を行うようにする。
【００５２】
図７は、本発明の第３実施形態に係る折り畳み式ハンガーを示す斜視図である。本発明の第３実施形態に係る折り畳み式ハンガーは、ハンガー翼を除いては、図１乃至図５を参照して説明した折り畳み式ハンガーと同一であるので、同一の部分については詳細な説明を省略し、同一の部分には同一の図面符号を付与する。
【００５３】
図７を参照すると、本発明の第３実施形態に係る折り畳み式ハンガーは、ハンガー胴体１００、１対のハンガー翼２００、及びカバー３００を有する。
【００５４】
ハンガー翼２００は、衣服の肩部が接触して衣服が掛けられる部分であって、ハンガー翼２００は、ハンガー胴体１００に、互いに向かい合って１対が配置され、ハンガー胴体１００に回転可能に固定され、ストッパー部１４０に係止されてハンガー翼２００の回転が停止される。
【００５５】
一実施形態として、ハンガー翼２００は、一定の長さと幅を有する一文字状の板に形成され、ハンガー翼２００には、ハンガー翼２００の長手方向に沿って長い長孔状の開口２６０が形成される。
【００５６】
ハンガー翼２００の長手方向に沿って形成される長い長孔状の開口２６０には、他のハンガーのフック部が吊り下げられてもよく、ネクタイや腰ベルトのようなアクセサリーが掛けられてもよい。
【００５７】
図８は、本発明の第４実施形態に係る折り畳み式ハンガーを示す斜視図である。図９は、図８に示した折り畳み式ハンガーのハンガー翼を折り畳んだ状態を示す図である。本発明の第４実施形態に係る折り畳み式ハンガーは、ハンガー翼を除いては、図１乃至図５を参照して説明した折り畳み式ハンガーと同一であるので、同一の部分については詳細な説明を省略し、同一の部分には同一の図面符号を付与する。
【００５８】
図８及び図９を参照すると、本発明の第４実施形態に係る折り畳み式ハンガーは、ハンガー胴体１００、１対のハンガー翼２００、及びカバー３００を有する。
【００５９】
ハンガー翼２００は、衣服の肩部が接触して衣服が掛けられる部分であって、ハンガー翼２００は、ハンガー胴体１００に、互いに向かい合って１対が配置され、ハンガー胴体１００に回転可能に固定され、ストッパー部１４０に係止されてハンガー翼２００の回転が停止される。
【００６０】
一実施形態として、ハンガー翼２００は、一定の長さと幅を有する一文字状の板に形成され、ハンガー翼２００のうち、衣服の肩部が接触するハンガー翼２００の一側面には、ハンガー翼２００の幅よりも広い幅で形成された衣服支持部２７０が形成される。
【００６１】
衣服支持部２７０は、曲面と対向するハンガー翼２００の他側端部を取り囲んでハンガー翼２００の他側端部から逃げ部２２０が形成された方向に延長される。衣服支持部２７０は、ハンガー翼２００と接触する衣服の肩部にハンガー翼２００の跡が残らないように衣服が接触する面積を広くする。
【００６２】
図１０は、本発明の第５実施形態に係る折り畳み式ハンガーを示す平面図である。本発明の第５実施形態に係る折り畳み式ハンガーは、ストッパー部を除いては、図１乃至図５を参照して説明した折り畳み式ハンガーと同一であるので、同一の部分については詳細な説明を省略し、同一の部分には同一の図面符号を付与する。
【００６３】
図１０を参照すると、本発明の第５実施形態に係る折り畳み式ハンガーは、ハンガー胴体１００、１対のハンガー翼２００、及びカバー３００を有する。
【００６４】
ストッパー部１５０は、広げられるハンガー翼２００の回転を停止させてハンガー翼２００を支持するものであって、ストッパー部１５０は、突起部１２０から離隔した位置に１対がリブ状に突出形成される。
【００６５】
１対のリブ状のストッパー部１５０は、互いに離隔し、ハンガー翼２００を広げたとき、ハンガー翼２００が鈍角の角度を有する三角形をなすように斜線状に形成される。
【００６６】
ここで、ストッパー部１５０がリブ状に形成されるので、一実施形態において、延長部１４２の役割、すなわち、ハンガー翼２００が折り畳まれたとき、それぞれのハンガー翼２００が胴体部１１０の指定された位置から外れて互いに交差することを防ぐ役割を行う干渉防止部１６０が、胴体部１１０の上部面から突出形成される。
【００６７】
干渉防止部１６０は、フック部１３０のうち、ハンガー翼２００が折り畳まれる方向に位置したフック部１３０と隣接して形成される。
【００６８】
以上、詳述した説明によれば、折り畳み式ハンガーのハンガー翼は、回転が可能であるので、ハンガーを保管し、または衣服の内部にハンガーを入れるとき、ハンガー翼は、フック部と垂直になるように折り畳まれ、衣服を掛けるときは、ハンガー翼が三角形になるように広げられ、ハンガーを保管するのに小さな空間のみで済み、携帯し易く、首まわり部分が狭い衣服にも、首まわりが伸びることなく、入り易く、衣服が変形することを防ぐことができる。
【００６９】
一方、図面に開示された実施形態は、本発明の理解を助けるために特定例を提示したものに過ぎず、本発明の範囲を限定しようとするものではない。ここに開示された実施形態以外にも、本発明の技術的思想に基づいた他の変形形態が実施可能であるということは、本発明の属する技術分野における通常の知識を有する者にとって自明なものである。
【図１】
2020517314.tif 000003
【図２】
2020517314.tif 000004
【図３】
2020517314.tif 000005
【図４】
2020517314.tif 000006
【図５】
2020517314.tif 000007
【図６】
2020517314.tif 000008
【図７】
2020517314.tif 000009
【図８】
2020517314.tif 000010
【図９】
2020517314.tif 000011
【図１０】
2020517314.tif 000012
【国際調査報告】
2020517314.tif 000013
2020517314.tif 000014
2020517314.tif 000015
2020517314.tif 000016